(57)【特許請求の範囲】
【請求項１】
測量装置に装着するバッテリーであって、
筐体と、
前記筐体に蓋をする蓋部材と
を有し、
前記蓋部材は前記筐体にネジによって固定され、
非正規の乾電池を使用できないように前記ネジの頭部のみが接着剤により封止されて前記ネジの解除ができない構造を有することを特徴とする測量装置用バッテリー。
【発明の詳細な説明】
【技術分野】
【０００１】
本発明は、測量装置用バッテリーに関する。
【背景技術】
【０００２】
測量装置用のバッテリーが知られている（例えば、特許文献１参照）。
【先行技術文献】
【特許文献】
【０００３】
【特許文献１】特開平５−２７２９７８号公報
【発明の概要】
【発明が解決しようとする課題】
【０００４】
バッテリーで動作する測量装置は、バッテリーを交換可能な構造を有している。測量装置では、大容量かつ大電流特性を有したバッテリーが利用される。一般に測量装置用のバッテリーは、保障する性能（例えば、連続稼働時間が○○時間といった性能）を担保するために、製造メーカが指定したバッテリーを利用する必要がある。例えば、同じ規格のバッテリーであってもニッケル水素系とリチウム系では、電圧が同じでも瞬時供給電流の値や容量が異なる。したがって、指定されたバッテリーを使用しないと当該測量装置で保障されている性能が得られない可能性がある。
【０００５】
ところで、バッテリーは消耗品であるので容量が少なくなった段階で交換する必要がある。しかしながら、ユーザによっては、コスト削減のために指定されたバッテリーを利用せず、同じ形式の他のバッテリー（すなわち、非正規品）を使用する場合がある。この場合、所定の性能が得られない可能性がある。また、場合によっては、バッテリーの異常発熱や誤動作といった問題が生じる可能性もある。
【０００６】
このような背景において、本発明は、測量装置用のバッテリーにおいて、ユーザが非正規品のバッテリーに交換できない構造を提供することを目的とする。
【課題を解決するための手段】
【０００７】
請求項１に記載の発明は、測量装置に装着するバッテリーであって、筐体と、前記筐体に蓋をする蓋部材とを有し、前記蓋部材は前記筐体にネジによって固定され、非正規の乾電池を使用できないように前記ネジの頭部のみが接着剤により封止されて前記ネジの解除ができない構造を有することを特徴とする。
【発明の効果】
【００１０】
本発明によれば、測量装置用のバッテリーにおいて、ユーザが非正規品のバッテリーに交換できない構造が得られる。
【図面の簡単な説明】
【００１１】
【図１】実施形態の正面図である。
【図２】実施形態のバッテリーパックの斜視図である。
【図３】実施形態のバッテリーパックの斜視図である。
【発明を実施するための形態】
【００１２】
（構成）
図１には、測量装置１が示されている。測量装置１は、レーザ測距装置である。測量装置１は、三脚２に取り付けられている。三脚２は、３本の脚部３、３本の脚部３が連結された台座部４を備えている。測量装置１は、本体６、本体６に対して仰角および俯角方向に回動可能な可動部７、本体６を水平面内で回転可能に支持する基台部８を備えている。また可動部７は、測距レーザ光の発光部と受光部を備えている。
【００１３】
本体６には電源となるバッテリーパック９が取り付けられている。すなわち、本体６には、スライドはめ込み式の蓋５が設けられ、蓋５の内側には、バッテリーパック９を取り付けるための収納空間が設けられ、この収納空間にバッテリーパック９が収納されている。バッテリーパック９は、本体６に着脱可能であり、交換が可能となっている。これは、通常のバッテリー駆動の電子機器の場合と同じである。バッテリーパック９には、電極端子１２が設けられ、この電極端子１２が図１の本体６の内部に設けられた受け側の電極端子（図示省略）に接触する。
【００１４】
図２には、バッテリーパック９の外観が示されている。バッテリーパック９は、本体となる筐体１４および蓋１０を備えている。蓋１０は、ネジ１１によって筐体１４に固定されている。ネジ１１を外すことで蓋１０をバッテリーパック９の筐体から取り外すことができる。蓋１０を取り外すと、筐体１４の内部が現れる。筐体１４の内部には、単三タイプのリチウム乾電池を特定の本数（必要な電圧が得られる本数：例えば４本）収納することができる。上記のリチウム乾電池を筐体１４の内部に収納し、更に蓋１０をネジ１１により筐体１４に固定した状態でバッテリーパック９が本体６（図１参照）に収納される。
【００１５】
バッテリーパック９の筐体１４に蓋１０をネジ１１で固定した状態において、ネジ１１の頭の部分が樹脂により構成された充填物１３で封止固定される。この状態が図３に示されている。図３に示す状態では、図２に示されるネジ１１の頭の部分が充填物１３によって封止固定され、またネジ頭の部分のプラス型の溝が充填物で埋められて潰された状態となる。この状態では、ドライバー等でネジ１１を回転させることができず、ネジ１１をバッテリーパック９から取り外すことができない。
【００１６】
充填物１３としては、接着剤を用いることができる。接着剤としては、一液性接着剤および二液性接着剤が挙げられる。一液性接着剤および二液性接着剤としては、エポキシ系、シリコーン系、ウレタン系、これら材料の複数を混合したものが挙げられる。
【００１７】
（電池の交換）
測量装置１は、バッテリーパック９の出力電圧の値やその変化に基づきバッテリーパック９の容量の低下を検出する機能を有する。この機能により、バッテリーパック９の容量が規定の値を下回ったか否かが検出される。バッテリー９の容量が規定の値を下回ったと判定された場合、その旨が図示しないランプ等でユーザに報知される。この場合、ユーザは、バッテリーパック９を本体６から取り外し、バッテリーパック９を販売店や測量装置１のサービスセンターに送る。
【００１８】
販売店やサービスセンターは、予め定められた手順に従って充填物１３を除去し、ネジ１１および蓋１０を外して、内部の乾電池を新品の正規品の乾電池と交換する。そして、内蔵の電池が新しくなったバッテリーパック９はユーザに送り返される。
【００１９】
例えば、リチウム乾電池の交換は、以下のようにして行われる。まず、図１に示す測量装置１の本体６の蓋５を開け、バッテリーパック９を本体６から取り外す。次に、溶剤を用いて図３に示すバッテリーパック９のネジ１１の頭の部分に充填された接着剤を除去し、図２の状態を得る。次に、蓋１０を外し、筐体１４の内部に収納されたリチウム乾電池が現れた状態とし、リチウム乾電池を新品に交換する。リチウム乾電池の交換後、蓋１０を本体１０に取り付け、更にネジ１１を締めて図２の状態を得る。図２の状態を得たら、ネジ１１の頭の部分に接着剤を塗布し、図３の状態を得る。図３の状態を得たら、バッテリーパック９を図１に示す測量装置１の本体６の内部に装着し、更に蓋５を閉め、図１の状態を得る。
【００２０】
（優位性）
本実施形態の構造によれば、充填物１３によってネジ１１を回すことができないので、バッテリーパック９内部の乾電池の交換が簡単に行えない。そのため、乾電池として非正規品を利用することが困難となる。
【００２１】
充填物１３を取り除く溶剤の種類や方法をエンドユーザに開示せず営業秘密とすることで、ユーザによるバッテリーパック９内部の電池の交換を困難にでき、非正規品の乾電池の利用を困難にできる。
【００２２】
上記の例においてネジ１１は、プラスネジであるが、六角レンチで回すネジ等の他の規格のネジであってもよい。また、収納する乾電池のタイプは、例示した単三タイプの者に限定されず、他の規格のものであってもよい。
【符号の説明】
【００２３】
１…測量装置、２…三脚、３…脚部、４…台座部、５…蓋、６…本体、７…可動部、８…基台部、９…バッテリーパック、１０…蓋、１１…ネジ、１２…電極、１３…接着剤、１４…筐体。
【図１】
0006777394.tif 000002
【図２】
0006777394.tif 000003
【図３】
0006777394.tif 000004